【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
入力部を通じた使用者の操作に応じて自系図を作成し、その自系図を表示部の表示画面上に表示するとともに記憶部に保存する自系図作成装置であって、
a) 前記入力部を通じて使用者により入力された属性情報を用いて時間軸を設定し、該時間軸を１軸とする２次元の領域である自系図編集領域を前記表示画面上に表示する領域設定部と、
b) 前記入力部を通じて使用者により入力された検索キーワードを用いて、予めコンテンツが保存されたコンテンツ記憶部内を検索した結果であるコンテンツ検索結果を前記表示画面上に表示するコンテンツ検索部と、
c) 前記コンテンツ検索結果の中から、前記入力部を通じた操作により使用者にコンテンツを指定させることによってコンテンツを特定するコンテンツ特定部と、
d) 前記入力部を通じた操作により前記自系図編集領域内の位置を使用者に指定させることによって、該自系図編集領域内の位置を特定する位置特定部と、
e) 前記コンテンツ特定部により特定されたコンテンツを、前記位置特定部により特定された位置に配置するコンテンツ配置部と、
f) 前記コンテンツ特定部により特定されたコンテンツと、前記位置特定部により特定された位置とを紐付けたコンテンツ配置情報を前記記憶部内に設けられたコンテンツ配置情報記憶部に保存するコンテンツ配置情報保存部と、
を備えることを特徴とする自系図作成装置。
【請求項２】
前記属性情報に使用者の年齢及び／又は生年が含まれることを特徴とする請求項１に記載の自系図作成装置。
【請求項３】
前記コンテンツが画像であり、前記コンテンツ配置部が該画像を所定の大きさに加工したサムネイルとして配置することを特徴とする請求項１または２に記載の自系図作成装置。
【請求項４】
g) 前記入力部を通じた操作により、使用者にコンテンツが属するカテゴリーを設定させるカテゴリー設定部
を備え、前記コンテンツ配置情報保存部が、前記コンテンツ配置情報にカテゴリー情報を含めて保存することを特徴とする請求項１から３のいずれかに記載の自系図作成装置。
【請求項５】
入力部を通じた使用者の操作に応じて自系図を作成し、その自系図を表示部の表示画面上に表示するとともに記憶部に保存する処理をコンピュータに行わせるための自系図作成装置用のプログラムであって、該コンピュータを、
a) 前記入力部を通じて使用者により入力される属性情報を用いて時間軸を設定し、該時間軸を１軸とする２次元の領域である自系図編集領域を前記表示画面上に表示する領域設定部と、
b) 前記入力部を通じて使用者により入力される検索キーワードを用いて、予めコンテンツが保存されたコンテンツ記憶部内を検索した結果であるコンテンツ検索結果を前記表示画面上に表示するコンテンツ検索部と、
c) 前記コンテンツ検索結果の中から、前記入力部を通じた操作により使用者にコンテンツを指定させることによってコンテンツを特定するコンテンツ特定部と、
d) 前記入力部を通じた操作により前記自系図編集領域内の位置を使用者に指定させることによって、該自系図編集領域内の位置を特定する位置特定部と、
e) 前記コンテンツ特定部により特定されたコンテンツを、前記位置特定部により特定された位置に配置するコンテンツ配置部と、
f) 前記コンテンツ特定部により特定されたコンテンツと、前記位置特定部により特定された位置とを紐付けたコンテンツ配置情報を前記記憶部内に設けられたコンテンツ配置情報記憶部に保存するコンテンツ配置情報保存部と、
として動作させることを特徴とする自系図作成装置用プログラム。
【請求項６】
ネットワークを通じて接続された端末装置から入力される指示に従って自系図を作成し、該端末装置の表示部の表示画面上に表示する自系図作成サーバであって、
a) 前記端末装置から入力される属性情報を用いて時間軸を設定し、該時間軸を１軸とする２次元の領域である自系図編集領域を前記表示画面上に表示する領域設定部と、
b) 前記端末装置から入力される検索キーワードを用いて、予めコンテンツが保存されたコンテンツ記憶部内を検索した結果であるコンテンツ検索結果を前記表示画面上に表示するコンテンツ検索部と、
c) 前記コンテンツ検索結果の中から、前記端末装置から入力されるコンテンツを指定する指示に従ってコンテンツを特定するコンテンツ特定部と、
d) 前記端末装置から入力される、前記自系図編集領域内の位置を指定する指示に従って、該自系図編集領域内の位置を特定する位置特定部と、
e) 前記コンテンツ特定部により特定されたコンテンツを、前記位置特定部により特定された位置に配置するコンテンツ配置部と、
を備えることを特徴とする自系図作成サーバ。
【請求項７】
前記属性情報に使用者の年齢及び／又は生年が含まれることを特徴とする請求項６に記載の自系図作成サーバ。
【請求項８】
前記コンテンツが画像であり、前記コンテンツ配置部が該画像を所定の大きさに加工したサムネイルとして配置することを特徴とする請求項６または７に記載の自系図作成サーバ。
【請求項９】
f) 前記コンテンツ特定部により特定されたコンテンツと、前記位置特定部により特定された位置とを紐付けたコンテンツ配置情報を作成するコンテンツ配置情報作成部と、
g) 前記コンテンツ配置情報をサーバ自身が有する記憶部内に設けられたコンテンツ配置情報記憶部に保存するコンテンツ配置情報保存部と、
を備えることを特徴とする請求項６から８のいずれかに記載の自系図作成サーバ。
【請求項１０】
h) 前記コンテンツ特定部により特定されたコンテンツと、前記位置特定部により特定された位置とを紐付けたコンテンツ配置情報を作成するコンテンツ配置情報作成部と、
i) 前記コンテンツ配置情報を前記端末装置に送信するコンテンツ配置情報送信部と、
を備えることを特徴とする請求項６から８のいずれかに記載の自系図作成サーバ。
【請求項１１】
j) 前記端末装置を通じた操作により、使用者にコンテンツが属するカテゴリーを設定させるカテゴリー設定部
を備え、前記コンテンツ配置情報保存部が、前記コンテンツ配置情報にカテゴリー情報を含めて保存することを特徴とする請求項６から１０のいずれかに記載の自系図作成サーバ。
【請求項１２】
ネットワークを通じて接続された端末装置から入力される指示に従って自系図を作成し、該端末装置の表示部の表示画面上に表示する処理をサーバに行わせるための自系図作成サーバ用プログラムであって、該サーバを、
a) 前記端末装置から入力される属性情報を用いて時間軸を設定し、該時間軸を１軸とする２次元の領域である自系図編集領域を前記表示画面上に表示する領域設定部と、
b) 前記端末装置から入力される検索キーワードを用いて、予めコンテンツが保存されたコンテンツ記憶部内を検索した結果であるコンテンツ検索結果を前記表示画面上に表示するコンテンツ検索部と、
c) 前記コンテンツ検索結果の中から、前記端末装置から入力されるコンテンツを指定する指示に従ってコンテンツを特定するコンテンツ特定部と、
d) 前記端末装置から入力される、前記自系図編集領域内の位置を指定する指示に従って、該自系図編集領域内の位置を特定する位置特定部と、
e) 前記コンテンツ特定部により特定されたコンテンツを、前記位置特定部により特定された位置に配置するコンテンツ配置部と、
として動作させることを特徴とする自系図作成サーバ用プログラム。
【請求項１３】
f) 前記コンテンツ特定部により特定されたコンテンツと、前記位置特定部により特定された位置とを紐付けたコンテンツ配置情報を作成するコンテンツ配置情報作成部と、
g) 前記コンテンツ配置情報をサーバ自身が有する記憶部内に設けられたコンテンツ配置情報記憶部に保存するコンテンツ配置情報保存部と、
として動作させることを特徴とする請求項１２に記載の自系図作成サーバ用プログラム。
【請求項１４】
h) 前記コンテンツ特定部により特定されたコンテンツと、前記位置特定部により特定された位置とを紐付けたコンテンツ配置情報を作成するコンテンツ配置情報作成部と、
i) 前記コンテンツ配置情報を前記端末装置に送信するコンテンツ配置情報送信部と、
として動作させることを特徴とする請求項１２に記載の自系図作成サーバ用プログラム。
【請求項１５】
検索を実行すると該検索の結果を特定するための検索IDを与える検索エンジンにおいてキーワード検索を行うことにより取得したコンテンツを、時間軸を１軸とする２次元の領域に配置して作成された自系図のデータであって、
a) 前記時間軸の設定に関する情報を含む軸設定情報と、
b) 前記キーワード検索において使用されたキーワードに関するキーワード情報と、
c) 前記キーワード情報に対応づけられた検索ID情報と、
d) 前記検索ID情報に対応するキーワード検索の結果から取得されたコンテンツが配置される、前記２次元の領域内の位置を特定するコンテンツ位置情報と、
を有することを特徴とする自系図データ。
【手続補正２】
【補正対象書類名】明細書
【補正対象項目名】００２４
【補正方法】変更
【補正の内容】
【００２４】
【図１】本発明に係る自系図作成装置の一実施例のハードウェア構成図。
【図２】実施例１の自系図作成装置におけるログイン処理に関するフローチャート。
【図３】実施例１の自系図作成装置において最初に表示されるトップ画面。
【図４】実施例１の自系図作成装置におけるユーザ登録に関するフローチャート。
【図５】実施例１の自系図作成装置において表示される自系図編集の初期画面。
【図６】実施例１の自系図作成装置における自系図作成に関するフローチャート。
【図７】実施例１の自系図作成装置において表示される自系図編集画面の例。
【図８】実施例１の自系図作成装置において表示される自系図編集画面の別の例。
【図９】実施例１の自系図作成装置において表示される自系図編集画面のさらに別の例。
【図１０】本発明に係る自系図作成サーバの一実施例を用いて自系図を作成する場合のシステム全体構成を説明する図。
【図１１】実施例２の自系図作成サーバのハードウェア構成図。
【図１２】実施例２の自系図作成サーバにアクセスする端末装置のハードウェア構成図。
【図１３】実施例２の自系図作成サーバにおいて表示される自系図編集画面の例。
【図１４】キーワード使用情報のデータ構造を説明する表。
【図１５】年表データの構造を説明する表。
【図１６】実施例２の自系図作成サーバにおいて表示される自系図編集画面の別の例。
【図１７】コンテンツ配置情報の構造を説明する表。
【手続補正３】
【補正対象書類名】明細書
【補正対象項目名】００３０
【補正方法】変更
【補正の内容】
【００３０】
（１）ユーザ登録、ログイン
ユーザ登録及びログインに関するフローチャートを図２及び図４に示す。使用者により自系図作成装置用プログラム１８が起動されると、表示部１３の画面には、図３に示すトップ画面３０が表示される。トップ画面３０は、ＩＤ及びパスワードを入力するためのログイン領域３１と、使用者の属性情報（生年月日、ニックネーム、パスワード等）を入力するための新規登録領域３２に大別されている。
【手続補正４】
【補正対象書類名】明細書
【補正対象項目名】００３１
【補正方法】変更
【補正の内容】
【００３１】
自系図作成装置用プログラム１８の初回起動時にはユーザ登録がなされていないため（ステップＳ１でＮＯ）、使用者にユーザ登録を行わせる。ユーザ登録の流れを図４に示す。ユーザ登録時には、まず、規約・プライバシーポリシーを表示（ステップＳ２１）して、使用者の同意を促す。そして、使用者により、これらに同意したことを示すチェックがチェックボックスに入力され（ステップＳ２２でＹＥＳ）、使用者属性情報（生年月日、性別、ニックネーム、及びパスワード）を入力させる（ステップＳ２４）。そして、入力されたニックネームを使用者ＩＤとし、使用者属性情報記憶部１９に新たな使用者属性情報を保存する（ステップＳ２５）。こうしてユーザ登録が完了する。本実施例では、使用者により入力されたニックネームを使用者ＩＤとするが、使用者属性情報が記憶される毎に機械的に使用者ＩＤを発行したり、使用者自身に任意のＩＤを入力させ、該ＩＤが既に使用されていないことを確認してそのＩＤを使用者ＩＤとしてもよい。
【手続補正５】
【補正対象書類名】明細書
【補正対象項目名】００４０
【補正方法】変更
【補正の内容】
【００４０】
使用者によりコンテンツ画像の検索が選択されると、使用者により入力されたキーワードを用いてコンテンツの検索を行う。このとき、ＣＰＵ１１は、自系図作成装置１０の記憶部１５内、ＤＶＤ−ＲＯＭドライブ１６に挿入されたＤＶＤ２３内、自系図作成装置１０に取り付けられた記憶装置内のキーワード検索を実行するだけでなく、インターネットを介して接続された検索エンジンに対してもキーワード検索を要求する（ステップＳ９０４）。ただし、自系図作成装置１０がインターネットに接続されていない場合には、検索エンジンに対するキーワード検索を要求しない。そして、これらの検索により得られた結果を、コンテンツ検索結果表示欄４４cに表示する（ステップＳ９０５）。コンテンツ検索結果表示欄４４cには検索結果を３件ずつ表示し、使用者によるスクロール等の操作に応じて、それらの表示を変更する。
【手続補正６】
【補正対象書類名】明細書
【補正対象項目名】００４３
【補正方法】変更
【補正の内容】
【００４３】
コンテンツ及び自系図編集領域４３内での位置の特定を完了すると、コンテンツ配置部１８fは、該コンテンツを該位置に配置する（ステップＳ９１１）。このとき、コンテンツ配置部１８fは、原画像を所定の大きさに加工（縮小あるいは拡大）し、サムネイル４５として自系図編集領域４３内に配置する。なお、本実施例では自系図編集領域４３内の位置を特定した後で、コンテンツを特定する順に説明したが、この順は逆でも構わない。
【手続補正７】
【補正対象書類名】明細書
【補正対象項目名】００４８
【補正方法】変更
【補正の内容】
【００４８】
また、上述したように、初期設定ではカテゴリー表示領域４１ではＡＬＬボタンが選択された状態になっているため、全てのカテゴリーに属するコンテンツを表示するが、使用者のクリック操作等によって特定のカテゴリー名が付されたボタンが選択されると、自系図編集領域４３内に配置されたコンテンツのうち、当該カテゴリーに属するもののみを表示するようになっている。使用者が「ゲーム」のカテゴリーボタンを選択した状態の画面例を図９に示す。
【手続補正８】
【補正対象書類名】明細書
【補正対象項目名】００６４
【補正方法】変更
【補正の内容】
【００６４】
また、端末装置２００から、キーワード入力欄１４４aにキーワードが入力され、コンテンツ設定方法選択欄１４４bでコンテンツの登録方法が選択されるまで待機する。本実施例においても、コンテンツの登録方法として、コンテンツ画像の検索と画像のアップロードの２種類の方法が用意されている。
【手続補正９】
【補正対象書類名】明細書
【補正対象項目名】００６９
【補正方法】変更
【補正の内容】
【００６９】
コンテンツ配置部１１８fは、端末装置２００から指定された自系図編集領域１４３内の位置に基づいて時間軸方向の座標を確定し、キーワード使用回数を参照してキーワード人気度の軸方向の位置を確定する。キーワード人気度の軸方向の位置は、例えば次のようにして決定される。図１４に示すように、例えば、コンテンツデータベース内に保存されているキーワード使用情報の中で使用回数が最大であるものが１０００回であり、現在、配置しようとしているコンテンツのキーワードの使用回数が３９１回である場合には、キーワード人気度の軸方向の座標を最大値の３９．１％（３９１回／１０００回）の値とする。こうして、自系図編集領域１４３内の位置（２次元領域内での座標）を特定し、コンテンツを配置する（ステップＳ９１１）。
【手続補正１０】
【補正対象書類名】明細書
【補正対象項目名】００７０
【補正方法】変更
【補正の内容】
【００７０】
コンテンツ配置部１１８fは、原画像を所定の大きさに加工（縮小あるいは拡大）し、サムネイル１４６として自系図編集領域１４３内に配置する。
また、サムネイル１４６の配置と並行して、コンテンツ配置情報作成部１１８hが、キーワード、コンテンツ、コンテンツの位置、及びコンテンツのカテゴリーを紐づけたコンテンツ配置情報を作成する。また、コンテンツ配置情報保存部１１８gが、これをコンテンツ配置情報記憶部１２０に保存する（ステップＳ９１２）。これにより、自系図編集領域１４３内にコンテンツを配置する一連のフローが終了する。この一連のフローは、端末装置２００からの入力に応じて繰り返し行われる。
【手続補正１１】
【補正対象書類名】明細書
【補正対象項目名】００７４
【補正方法】変更
【補正の内容】
【００７４】
また、端末装置２００から、自系図編集領域１４３内のコンテンツのサムネイル１４６を選択する入力がなされると、上述したキーワード使用情報を参照して当該コンテンツの詳細情報（キーワード、カテゴリー、カテゴリー内順位、登録している人数、人気の年代、男女比等）をポップアップ表示する。ポップアップ表示内には「削除する」及び「登録内容の変更」ボタンも表示し、これらに対する入力操作を受けて、コンテンツの削除や登録内容の変更に関する端末装置２００からの入力を受け付ける。登録内容の変更とは、例えば、当該コンテンツに対するカテゴリーの変更や自系図編集領域１４３内での配置の変更などである。コンテンツの削除や登録内容の変更が行われると、コンテンツ配置情報記憶部１２０内のコンテンツ配置情報や、コンテンツデータベース１２１内のコンテンツ使用情報を更新する。
【手続補正１２】
【補正対象書類名】明細書
【補正対象項目名】００７８
【補正方法】変更
【補正の内容】
【００７８】
上記実施例１及び２は一例であって、本発明の趣旨に沿って適宜に変更することができる。上記実施例１及び２では、コンテンツとして画像データを検索し、そのサムネイルを作成して自系図編集領域内に配置する構成としたが、他の形式のコンテンツを配置することができる。例えば、使用者により入力されたキーワードや、使用者により入力されたキーワードを用いて検索された文章などのテキスト情報を所定の大きさの領域内に配置して画像化したものとすることができる。また、動画データや音楽データなどを検索し、それらに対するサムネイルを作成して配置することもできる。
また、実施例２の自系図作成サーバでは、該サーバの記憶部に設けられた自系図データ保存部内に、作成された自系図データを保存する構成としたが、例えば、コンテンツ配置情報や自系図データを端末装置２００に送信するコンテンツ配信情報送信部を備え、端末装置２００側でそれらの情報を保存できるように構成してもよい。
【手続補正１３】
【補正対象書類名】図面
【補正対象項目名】図２
【補正方法】変更
【補正の内容】
【図２】
2015035189.tif 000001
【手続補正１４】
【補正対象書類名】図面
【補正対象項目名】図１１
【補正方法】変更
【補正の内容】
【図１１】
2015035189.tif 000002
【手続補正１５】
【補正対象書類名】図面
【補正対象項目名】図１３
【補正方法】変更
【補正の内容】
【図１３】
2015035189.tif 000003